(57)【要約】【課題】昇降路ピット２内で、制御盤等を保守する際に使用する保守部品、工具、脚立８等の保守工具類を収納でき、昇降路ピット２の見栄えを良くするトーガード装置を提供する。【解決手段】最下階の乗場の敷居５と、昇降路ピット２の最下階の乗場４側の側壁と、最下階の乗場４側の側壁に設けられ、保守工具類を収納する収納部と、収納部を昇降路ピット２側から隠蔽するように最下階の乗場の敷居５に固定されるトーガードとを備え、トーガードは、最下階の乗場の敷居５に固定されるトーガード固定部１３ａと、トーガード固定部１３ａに枢設され、収納部を昇降路ピット２側から隠蔽する位置から昇降路ピット２側に回動可能なトーガード可動部１３ｂにより構成される。【選択図】図４
2008044735.tif 000002
【特許請求の範囲】
【請求項１】
最下階の乗場の敷居と、
昇降路ピットの最下階の乗場側の側壁と、
前記最下階の乗場側の側壁に設けられ、保守工具類を収納する収納部と、
前記収納部を昇降路ピット側から隠蔽するように前記最下階の乗場の敷居に固定されるトーガードと、
を備えたことを特徴とするエレベータのトーガード装置。
【請求項２】
トーガードは、
最下階の乗場の敷居に固定されるトーガード固定部と、
前記トーガード固定部に枢設され、収納部を昇降路ピット側から隠蔽する位置から前記昇降路ピット側に回動可能なトーガード可動部と、
を備えたことを特徴とする請求項１記載のエレベータのトーガード装置。
【請求項３】
収納部及びトーガード可動部に回動可能に取り付けられる支え腕を備えたことを特徴とする請求項２記載のエレベータのトーガード装置。
【請求項４】
支え腕に、トーガード可動部が水平配置される状態の維持及び開放を制御するストッパーが取り付けられることを特徴とする請求項３記載のエレベータのトーガード装置。
【請求項５】
トーガード可動部が収納部を昇降路ピット側から隠蔽する位置から前記昇降路ピット側に回動すると、エレベータの運転モードを保守運転モードに切り替える、または、エレベータが一旦停止するように作動する保守運転切り替えスイッチが取り付けられることを特徴とする請求項２〜請求項４のいずれかに記載のエレベータのトーガード装置。
【請求項６】
トーガード装置は、展望用のエレベータに設置されることを特徴とする請求項１〜請求項５のいずれかに記載のエレベータのトーガード装置。
【発明の詳細な説明】
【技術分野】
【０００１】
この発明は、エレベータの昇降路ピット部分に保守部品、工具、脚立等の保守工具類を収納する技術に関するものである。
【背景技術】
【０００２】
従来の機械室レスエレベータにおいては、制御盤等の機器を昇降路内に設置している。このため、制御盤等を保守する際に使用する保守部品、工具、脚立等の保守工具類を昇降路ピットの余分なスペースに保管することがあった。
【０００３】
また、別の従来技術として、エレベータの乗場のトーガードに関する提案がなされている（例えば、特許文献１、特許文献２参照）。これらのトーガードは、乗場の敷居下にエプロン状にパネルで形成され、エレベータのかごが万が一、行き過ぎたときや着床誤差により正規の着床位置よりずれてもかごの敷居先端と乗場側のパネルとの間隔を広げないようにして、子供などが昇降路へ出られないようにしている。これらの文献では、いずれのトーガードも短く図示されているがエレベータの制御によりランバイ（エレベータのかご下端と緩衝器との間隔）や緩衝器ストロークの長いものでは、トーガードは長く形成されている。また、特に、特許文献１において、脚立に相当する梯子について、エレベータ最下階の乗場床からエレベータ昇降路下部のピットへ降下するために使用されるエレベータピット点検用の梯子装置において、乗場戸用の乗場敷居の下部に設置されたトーガードに設けられた足掛け部と、上記トーガードの下方に設けられ、上記足掛け部の真下から上記ピット底面の方に延在するピット点検用の梯子とを具備し、上記足掛け部は上記梯子の一部として機能することを特徴とするエレベータピット点検用の梯子装置が提案されている。
【０００４】
【特許文献１】特開平９−２２７０４５号公報
【特許文献２】特開平１１−４３２７４号公報
【発明の開示】
【発明が解決しようとする課題】
【０００５】
従来の機械室レスエレベータで展望用のエレベータを構成しようとした場合、昇降路ピットに保管している保守部品、工具、脚立等の保守工具類が昇降路外等から見えるため、見栄えが悪いという問題があった。
【０００６】
また、特許文献１記載のものは、梯子をトーガードの下方に設け、トーガードの一部にも足掛け部を設けてあるものの、梯子やその他の保守部品や工具等の保守工具類の収納については考慮されていない。
【０００７】
この発明は、上述のような課題を解決するためになされたもので、その目的は、昇降路ピット内で、制御盤等を保守する際に使用する保守部品、工具、脚立等の保守工具類を収納でき、昇降路ピットの見栄えを良くするトーガード装置を提供することである。
【課題を解決するための手段】
【０００８】
この発明に係るエレベータのトーガード装置は、最下階の乗場の敷居と、昇降路ピットの最下階の乗場側の側壁と、前記最下階の乗場側の側壁に設けられ、保守工具類を収納する収納部と、前記収納部を前記昇降路ピット側から隠蔽するように前記最下階の乗場の敷居に固定されるトーガードとを備えたものである。
【発明の効果】
【０００９】
この発明は、最下階の乗場の敷居と、昇降路ピットの最下階の乗場側の側壁と、前記最下階の乗場側の側壁に設けられ、保守工具類を収納する収納部と、前記収納部を前記昇降路ピット側から隠蔽するように前記最下階の乗場の敷居に固定されるトーガードとを備える構成としたことで、昇降路ピット内で、制御盤等を保守する際に使用する保守部品、工具、脚立等の保守工具類を収納でき、昇降路ピットの見栄えを良くすることができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明のエレベータのトーガード装置を含むエレベータの昇降路ピット付近の縦断面図、図２は図１のＡ部拡大図であって、この発明のエレベータのトーガード装置を示す縦断面図、図３はこの発明のエレベータのトーガード装置が水平配置される状態を示す縦断面図、図４はこの発明のエレベータのトーガード装置が水平配置される状態を示す斜視図である。
【００１２】
一般に、エレベータは、昇降路１の底部に昇降路ピット２を有し、エレベータのかご３が昇降路１内を昇降して、エレベータのかご３の乗客を建築物の各階に移動させる。建築物の各階の乗場の床部は、昇降路１側に突出しており、この突出した床部の端部に乗場の戸の開閉を案内する溝が形成された乗場の敷居が設けられる。建築物の各階の乗場の敷居下には、エレベータのかご３が万が一、行き過ぎたときや着床誤差により正規の着床位置よりずれてもかごの敷居先端と乗場側との間隔を広げないようにして、子供などが昇降路へ出られないようにするトーガードが取り付けられている。この発明のエレベータのトーガード装置は、特に、展望用のエレベータ等の昇降路１外から昇降路ピット２が見える場合において、建築物の最下階に配置されるトーガードを利用するものである。以下、この発明のエレベータのトーガード装置を詳細に説明する。
【００１３】
図において、４は最下階の乗場、５は最下階の乗場４の床部の端部に設けられる最下階の乗場の敷居、６は最下階の乗場の敷居５に形成される溝に案内され、最下階の乗場４の出入口で開閉する最下階の乗場の戸である。最下階の乗場４の床部及び昇降路ピット２の側壁は、建築物により構成され、最下階の乗場４の床部は昇降路ピット２の側壁よりも昇降路ピット２側に突出しており、最下階の乗場４の突出した床部の昇降路ピット２との対向面は、建築物の傾斜部を介して昇降路ピット２の最下階の乗場４側の側壁と繋がっている。
【００１４】
昇降路ピット２の最下階の乗場４側の側壁には、最下階の乗場４の出入口と同等の幅を有し、建築物の傾斜部との境界から昇降路ピット２側へ延びて水平配置される天板７ａと、天板７ａの下方で、昇降路ピット２の床面近傍に配置され、天板７ａと水平投影面を同じくする底板７ｂと、天板７ａの両側部及び底板７ｂの両側部に上下端を固定される一対の側板７ｃから構成される収納庫７が設けられている。収納庫７の天板７ａ、底板７ｂ、両側板７ｃの内面により仕切られた空間は、両側板７ｃの間の中央に鉛直配置される仕切り板７ｄと、一方の側板７ｃと仕切り板７ｄの中央に水平配置される棚板７ｅにより、天板７ａ、底板７ｂ、他方の側板７ｃ、仕切り板７ｄにより仕切られる第一の収納部７ｆと、天板７ａ、棚板７ｅ、一方の側板７ｃ、仕切り板７ｄにより仕切られる第二の収納部７ｇと、棚板７ｅ、底板７ｂ、一方の側板７ｃ、仕切り板７ｄにより仕切られる第三の収納部７ｈにさらに細かく仕切られ、第一の収納部７ｆ、第二の収納部７ｇ、第三の収納部７ｈは、昇降路ピット２側に開口部を有している。第一の収納部７ｆには、脚立８が収納されており、他方の側板７ｃと仕切り板７ｄの互いの対向面の中央に設けられる一対のフック９にベルト１０を掛け、第一の収納部７ｆから脚立８が昇降路ピット２側へ倒れることを防止している。また、第二の収納部７ｇには、手動ジャッキ１１が、第三の収納部７ｈには、一対のかご重心調整用バランスおもり１２が収納されている。
【００１５】
最下階の乗場の敷居５の昇降路ピット２との対向面には、最下階の乗場４の出入口と同等の幅を有するトーガード固定部１３ａの上端が固定されており、鉛直下向きに収納庫７の天板７ａまで延びている。トーガード固定部１３ａの下端には、収納庫７の第一の収納部７ｆ、第二の収納部７ｇ、第三の収納部７ｈを昇降路ピット２側から隠蔽するように自由端が鉛直下向きに延びるように配置され、収納庫７の蓋としての機能を有する位置から、自由端が昇降路ピット２側へ延びるように水平配置され、作業台としての機能を有する位置まで回動可能なトーガード可動部１３ｂが複数のヒンジ１３ｃを介して枢設されている。トーガード可動部１３ｂは、自由端が鉛直下向きに延びるように配置される状態において、両側部が収納庫７側を向くように折り曲げられて形成される側壁を有しており、トーガード可動部１３ｂの両側壁の外面及び収納庫７の両側板７ｃの内面には、収納庫７の底板７ｂと棚板７ｅの間の高さの位置に、一対の支え腕１４の両端がピンを介して回動可能に取り付けられている。
【００１６】
支え腕１４は、一端が収納庫７の側板７ｃの内面にピン１４ａを介して回動可能に取り付けられる第一の支え板１４ｂと、一端がトーガード可動部１３ｂの側壁の外面にピン１４ｃを介して回動可能に取り付けられる第二の支え板１４ｄと、ピン１４ｅにより回動可能に連結される第一の支え板１４ｂの自由端と第二の支え板１４ｄの自由端の連結部に取り付けられ、第一の支え板１４ｂと第二の支え板１４ｄが一直線上に配置される状態の維持と開放を制御するストッパー１４ｆから構成されている。支え腕１４は、トーガード可動部１３ｂの自由端が鉛直下向きに延びるように配置される状態においては、第一の支え板１４ｂと第二の支え板１４ｄの連結部が、収納庫７の内面に取り付けられた第一の支え板１４ｂの一端及びトーガード可動部１３ｂの側壁の外面に取り付けられた第二の支え板１４ｄの一端より上方に配置されるように収納庫７内に収まるように折りたたまれ、トーガード可動部１３ｂの自由端が昇降路ピット２側へ延びるように水平配置される状態においては、収納庫７の内面に取り付けられた第一の支え板１４ｂの一端及びトーガード可動部１３ｂの側壁の外面に取り付けられた第二の支え板１４ｄの一端を両端として一直線上に配置される。
【００１７】
さらに、収納庫７の天板７ａの下面には、昇降路ピット２側に突出して突出方向に前後する作動ピン１５ａを有する保守運転切り替えスイッチ１５が取り付けられている。保守運転切り替えスイッチ１５の作動ピン１５ａは、トーガード可動部１３ｂの自由端が鉛直下向きに延びるように配置される場合においては、トーガード可動部１３ｂの内面に当接しており、トーガード可動部１３ｂが、昇降路ピット２側へ延びるように水平配置される方向に回動を始めると、トーガード可動部１３ｂの内面との当接が開放される。
【００１８】
保守運転切り替えスイッチ１５はエレベータの運転モードを切り替える機能を有し、作動ピン１５ａがトーガード可動部１３ｂの内面に当接している状態から開放された場合、エレベータの運転モードが通常運転モードから保守運転モードに切り替えられる、もしくは、エレベータを一旦停止させるように制御盤に信号を送る。
【００１９】
このように構成されたトーガード装置は、エレベータの通常運転時において、昇降路ピット２に設置される制御盤等の機器やエレベータのかご３を下方から保守する際に用いる脚立８、手動ジャッキ１１、かご重心調整用バランスおもり１２は、それぞれ、第一の収納部７ｆ、第二の収納部７ｇ、第三の収納部７ｈに収納され、トーガード可動部１３ｂは、収納庫７の第一の収納部７ｆ、第二の収納部７ｇ、第三の収納部７ｈを昇降路ピット２側から隠蔽するように自由端が鉛直下向きに延びるように配置され、従来のトーガードとしての機能を果たしている。
【００２０】
そして、昇降路ピット２に設置される制御盤等の機器や昇降路ピット２からエレベータのかご３を下方から保守する際は、トーガード可動部１３ｂを、昇降路ピット２側へ回動させ、昇降路ピット２側から脚立８、手動ジャッキ１１、かご重心調整用バランスおもり１２を第一の収納部７ｆ、第二の収納部７ｇ、第三の収納部７ｈの各開口部から必要に応じて取り出して使用する。なお、脚立８を使用する場合は、取り出す前にフック９に掛けられたベルト１０を外す必要がある。また、この時、保守運転切り替えスイッチ１５の作動ピン１５ａが、トーガード可動部１３ｂの内面との当接から開放され、エレベータの運転モードが通常運転モードから保守運転モードに切り替わる、もしくは、エレベータが一旦停止する。さらにトーガード可動部１３ｂの自由端が昇降路ピット２側へ延びるように水平配置される状態まで回動させると、支え腕１４は、収納庫７の内面に取り付けられた第一の支え板１４ｂの一端及びトーガード可動部１３ｂの側壁の外面に取り付けられた第二の支え板１４ｄの一端を両端として一直線上に配置され、ストッパー１４ｆがこの状態を維持する。
【００２１】
保守作業終了後は、必要に応じて取り出した脚立８、手動ジャッキ１１、かご重心調整用バランスおもり１２を、それぞれ、第一の収納部７ｆ、第二の収納部７ｇ、第三の収納部７ｈに収納し、脚立８が昇降路ピット２側に倒れないようにベルト１０をフック９に掛ける。その後、支え腕１４のストッパー１４ｆにより維持されている第一の支え板１４ｂと第二の支え板１４ｄが一直線上に配置される状態を開放して、トーガード可動部１３ｂを、自由端が鉛直下向きに延びるように配置され、収納庫７の蓋としての機能を有する位置まで回動させる。この時、トーガード可動部１３ｂの内面が保守運転切り替えスイッチ１５の作動ピン１５ａに当接されるので、エレベータの運転モードが通常運転モードに切り替わり、エレベータは通常運転に戻る。
【００２２】
以上で説明した実施の形態１によれば、エレベータの通常運転時において、脚立８、手動ジャッキ１１、かご重心調整用バランスおもり１２は、それぞれ、第一の収納部７ｆ、第二の収納部７ｇ、第三の収納部７ｈに収納され、トーガード可動部１３ｂは、収納庫７の第一の収納部７ｆ、第二の収納部７ｇ、第三の収納部７ｈを昇降路ピット２側から隠蔽するように自由端が鉛直下向きに延びるように配置されるため、展望用のエレベータ等の昇降路１外から昇降路ピット２が見える場合においても、昇降路ピット２の見栄えが悪いという問題が発生しない。また、収納庫７は、従来からある昇降路ピット２の最下階の乗場４側の側壁と最下階のトーガードの空間に設けられるので、収納庫７を昇降路ピット２の別の場所に別途設ける必要もなく、昇降路ピット２のスペースを有効に使うことができる。
【００２３】
また、昇降路ピット２に設置される制御盤等の機器や昇降路ピット２からエレベータのかご３を下方から保守する際は、トーガード可動部１３ｂを、昇降路ピット２側へ回動させると、保守運転切り替えスイッチ１５の作動ピン１５ａが、トーガード可動部１３ｂの内面との当接から開放され、エレベータの運転モードが通常運転モードから保守運転モードに切り替わる、もしくは、エレベータが一旦停止するため、エレベータが通常運転モードで運転されることはないので、エレベータのかご３の下部が保守作業者や昇降路ピット２側に回動したトーガード可動部１３ｂに接触するという心配もなく、昇降路ピット２での保守作業を安全に行うことができる。
【００２４】
なお、脚立８、手動ジャッキ１１、かご重心調整用バランスおもり１２等の保守工具類を収納するための収納庫７は必ずしも必要ではなく、例えば、昇降路ピット２の最下階の乗場４側の側壁に直接、フック９やベルト１０を取り付ける等、保守工具類を収納する収納部が設けられ、トーガード可動部１３ｂが収納部を昇降路ピット２側から隠蔽する位置から昇降路ピット２側に回動可能に配置されれば、実施の形態１と同様の効果を得ることができる。また、保守運転切り替えスイッチ１５は、トーガード可動部１３ｂの昇降路ピット２側への回動に追従して、エレベータの運転モードが通常運転モードから保守運転モードに切り替わる、もしくは、エレベータが一旦停止するように作動すればよく、取り付ける場所に指定はない。例えば、トーガード可動部１３ｂの自由端が鉛直下向きに延びるように配置される場合においては、作動ピン１５ａが、支え腕１４の第一の支え板１４ｂに当接し、トーガード可動部１３ｂが、昇降路ピット２側へ延びるように水平配置される方向に回動を始めると、支え腕１４の第一の支え板１４ｂとの当接が開放されるように、保守運転切り替えスイッチ１５を収納庫７の側板７ｃに取り付けても良い。
【図面の簡単な説明】
【００２５】
【図１】この発明のエレベータのトーガード装置を含むエレベータの昇降路ピット付近の縦断面図である。
【図２】図１のＡ部拡大図であって、この発明のエレベータのトーガード装置を示す縦断面図である。
【図３】この発明のエレベータのトーガード装置が水平配置される状態を示す縦断面図である。
【図４】この発明のエレベータのトーガード装置が水平配置される状態を示す斜視図である。
【符号の説明】
【００２６】
１  昇降路
２  昇降路ピット
３  エレベータのかご
４  最下階の乗場
５  最下階の乗場の敷居
６  最下階の乗場の戸
７  収納庫
７ａ  天板
７ｂ  底板
７ｃ  側板
７ｄ  仕切り板
７ｅ  棚板
７ｆ  第一の収納部
７ｇ  第二の収納部
７ｈ  第三の収納部
８  脚立
９  フック
１０  ベルト
１１  手動ジャッキ
１２  かご重心調整用バランスおもり
１３ａ  トーガード固定部
１３ｂ  トーガード可動部
１３ｃ  ヒンジ
１４  支え腕
１４ａ  ピン
１４ｂ  第一の支え板
１４ｃ  ピン
１４ｄ  第二の支え板
１４ｅ  ピン
１４ｆ  ストッパー
１５  保守運転切り替えスイッチ
１５ａ  作動ピン
【図１】
2008044735.tif 000003
【図２】
2008044735.tif 000004
【図３】
2008044735.tif 000005
【図４】
2008044735.tif 000006